(57)【特許請求の範囲】
【請求項１】
スロットが形成された圧接刃を有し、芯線と絶縁被覆とを有する電線がスロットに先端側から挿入されることにより、絶縁被覆が突き破られつつ芯線が圧接刃に圧接接続するようになった圧接端子であって、
上記電線の外径ＷＡが上記圧接端子の内幅ＷＴとＷＡ≧ＷＴの関係があり、上記圧接接続時に、圧接刃の真上付近の電線は、深く押し下げて圧接刃に圧接すると同時に、圧接刃の真上付近以外の電線は、圧接刃で圧接された部分の電線よりも中心が上側に位置するように浅く押し下げることを特徴とする圧接端子付き電線の製造方法。
【請求項２】
スロットが形成された圧接刃を有し、芯線と絶縁被覆とを有する電線がスロットに先端側から挿入されることにより、絶縁被覆が突き破られつつ芯線が圧接刃に圧接接続するようになった圧接端子であって、
上記圧接接続時に、圧接刃の真上付近の電線を深く押し下げて圧接刃に圧接する電線圧接部と、圧接刃の真上付近以外の電線を圧接刃で圧接された部分の電線よりも中心が上側に位置するように浅く押し下げる電線押下げ部とを有して、この電線押下げ部は電線の外面に沿う円弧に形成されていることを特徴とする圧接端子付き電線の圧接治具。
【発明の詳細な説明】
【０００１】
【発明の属する技術分野】
本発明は、接続信頼性が向上する圧接端子付き電線の製造方法及び圧接治具に関する。
【０００２】
【従来の技術】
一般に圧接端子１は、図５（ａ）に示すように、スロット１ｂが形成された前後一対の圧接刃１ａを有し、図５（ｂ）に示すように、芯線２ａと絶縁被覆２ｂとを有する電線２がスロット１ｂに先端側（図で上方）から治具３（図４参照）で挿入されることにより、絶縁被覆２ｂが突き破られつつ芯線２ａが圧接刃１ａに圧接して、電線２と端子１とが接続されるようになっている。
【０００３】
このとき、図５（ｂ）に示したように、圧接前の端子１の内幅ＷＴに対して、圧接後の端子の内幅ＷＴ１は、芯線２ａの圧接による反力で僅かに開くようになる（ＷＴ１＞ＷＴ）。
【０００４】
【発明が解決しようとする課題】
ところで、上記治具３で電線２をスロット１ｂに挿入する際には、スロット１ｂの正規の深さまで電線２を無理やりに挿入するために、治具３で圧接刃１ａ以外の箇所の電線２を押しつぶすことになるから、電線２の外径ＷＡが端子１の内幅ＷＴとＷＡ≧ＷＴの関係があるときには、図５（ｃ）に示すように、この押しつぶされた電線２が端子１の内幅ＷＴ２をさらに広げるので（ＷＴ２＞ＷＴ１＞ＷＴ）、圧接刃１ａによる芯線２ａの圧接力が低下して、接続信頼性が悪くなるという問題があった。
【０００５】
本発明は、上記問題を解消するためになされたもので、接続信頼性が向上する圧接端子付き電線の製造方法及び圧接治具を提供することを目的とするものである。
【０００６】
【課題を解決するための手段】
このため、本発明の請求項１は、スロットが形成された圧接刃を有し、芯線と絶縁被覆とを有する電線がスロットに先端側から挿入されることにより、絶縁被覆が突き破られつつ芯線が圧接刃に圧接接続するようになった圧接端子であって、上記電線の外径ＷＡが上記圧接端子の内幅ＷＴとＷＡ≧ＷＴの関係があり、上記圧接接続時に、圧接刃の真上付近の電線は、深く押し下げて圧接刃に圧接すると同時に、圧接刃の真上付近以外の電線は、圧接刃で圧接された部分の電線よりも中心が上側に位置するように浅く押し下げることを特徴とする圧接端子付き電線の製造方法を提供するものである。
【０００７】
請求項１の圧接端子付き電線の製造方法によれば、電線の外径ＷＡが圧接端子の内幅ＷＴとＷＡ≧ＷＴの関係があり、圧接刃の真上付近の電線は、深く押し下げて圧接刃に圧接し、圧接刃の真上付近以外の電線は、圧接刃で圧接された部分の電線よりも中心が上側に位置するように浅く押し下げることにより、電線をスロットに挿入する際には、スロットの正規の深さまで電線を無理やりに挿入しても、圧接刃以外の箇所の電線は、圧接刃で圧接された部分の電線よりも中心が上側に位置するように浅く押し下げられるだけであるから、電線が押しつぶされるおそれがなくなり、端子の内幅ＷＴがさらに広げられなくなる。
【０００８】
本発明の請求項２は、スロットが形成された圧接刃を有し、芯線と絶縁被覆とを有する電線がスロットに先端側から挿入されることにより、絶縁被覆が突き破られつつ芯線が圧接刃に圧接接続するようになった圧接端子であって、上記圧接接続時に、圧接刃の真上付近の電線を深く押し下げて圧接刃に圧接する電線圧接部と、圧接刃の真上付近以外の電線を圧接刃で圧接された部分の電線よりも中心が上側に位置するように浅く押し下げる電線押下げ部とを有して、この電線押下げ部は電線の外面に沿う円弧に形成されていることを特徴とする圧接端子付き電線の圧接治具を提供するものである。
【０００９】
請求項２の圧接端子付き電線の圧接治具によれば、圧接刃の真上付近の電線は、電線圧接部により深く押し下げられて圧接刃に圧接し、圧接刃の真上付近以外の電線は、電線の外面に沿う円弧に形成した電線押下げ部により、圧接刃で圧接された部分の電線よりも中心が上側に位置するように浅く押し下げられるようになって、圧接刃の真上付近以外の電線が押しつぶされるおそれがなくなる。
【００１０】
【発明の実施の形態】
本発明の実施の形態を図面に基づいて説明する。なお、従来技術と同一構成・作用の個所は同一番号を付して詳細な説明は省略する。
【００１１】
図１及び図３（ａ）に示すように、圧接端子１は、従来と同様のスロット１ｂを有する前後一対の圧接刃１ａを備えている。なお、圧接前の端子１の内幅ＷＴは従来と同じである。また、電線２も従来と同様の芯線２ａと絶縁被覆２ｂとを備えている。
【００１２】
図１及び図２に示すように、上記各圧接刃１ａの真上付近の電線２を深く押し下げて各圧接刃１ａに圧接する前後一対の電線圧接部４ａと、各圧接刃１ａの真上付近以外の電線２を各圧接刃１ａで圧接された部分の電線２の中心Ｆ１よりも中心Ｆ２が上側に位置するように浅く押し下げる電線押下げ部４ｂとを有する圧接治具４を設ける。
【００１３】
この圧接治具４の各電線圧接部４ａは、各電線押下げ部４ｂよりも下方に突出されていて、圧接接続時に、スロット１ｂの正規の深さまで電線２を無理やりに挿入するために、スロット１ｂの幅よりも僅かに狭く設定している。
【００１４】
また、各電線押下げ部４ｂは、各電線圧接部４ａの間、及びその前後に設けられて、端子１の内幅ＷＴよりも僅かに狭く設定している。なお、図２（ｂ）に示すように、各電線押下げ部４ｂの押下げ面４ｃは、電線２の外面に沿う円弧に形成している。
【００１５】
そして、図１に示したように、治具４を下降（矢印参照）させると、各圧接刃１ａの真上付近の電線２は、各電線圧接部４ａで深く押し下げられて各圧接刃１ａに圧接接続されるようになる。
【００１６】
同時に、各圧接刃１ａの真上付近以外の電線２は、各圧接刃１ａで圧接された部分の電線２の中心Ｆ１よりも中心Ｆ２が上側に位置するように、各電線押下げ部４ｂで浅く押し下げられるようになる。
【００１７】
これにより、電線２をスロット１ｂに挿入する際には、スロット１ｂの正規の深さまで電線２を治具４の電線圧接部４ａで無理やりに挿入しても、圧接刃１ａ以外の箇所の電線２は、電線押下げ部４ｂで、圧接刃１ａで圧接された部分の電線２の中心Ｆ１よりも中心Ｆ２が上側に位置するように浅く押し下げられるだけであるから、電線２が押しつぶされるおそれがなくなり、端子１の内幅ＷＴ１がさらに広げられなくなる。
【００１８】
したがって、圧接刃１ａによる芯線２ａの圧接力が低下しなくなって、接続信頼性が向上するようになる。
【００１９】
【発明の効果】
以上のように本発明の圧接端子付き電線の製造方法は、電線の外径ＷＡが圧接端子の内幅ＷＴとＷＡ≧ＷＴの関係があり、圧接刃の真上付近の電線は、深く押し下げて圧接刃に圧接し、圧接刃の真上付近以外の電線は、圧接刃で圧接された部分の電線よりも中心が上側に位置するように浅く押し下げるようにしたものである。
【００２０】
したがって、電線をスロットに挿入する際には、スロットの正規の深さまで電線を無理やりに挿入しても、圧接刃以外の箇所の電線は、圧接刃で圧接された部分の電線よりも中心が上側に位置するように浅く押し下げられるだけであるから、電線が押しつぶされるおそれがなくなり、端子の内幅ＷＴがさらに広げられなくなるので、圧接刃による芯線の圧接力が低下しなくなって、接続信頼性が向上するようになる。
【００２１】
本発明の圧接端子付き電線の圧接治具は、圧接刃の真上付近の電線は、電線圧接部により深く押し下げて圧接刃に圧接し、圧接刃の真上付近以外の電線は、電線の外面に沿う円弧に形成した電線押下げ部により、圧接刃で圧接された部分の電線よりも中心が上側に位置するように浅く押し下げるから、圧接刃の真上付近以外の電線を押しつぶすおそれがなくなる。
【図面の簡単な説明】
【図１】  本発明の圧接治具と電線及び圧接端子の側面断面図である。
【図２】  圧接治具であり、（ａ）は斜視図、（ｂ）は変形例の要部斜視図である。
【図３】  電線の圧接手順であり、（ａ）は圧接前の端子の正面断面図、（ｂ）は図１のＡ−Ａ線に相当する断面図、（ｃ）は図１のＢ−Ｂ線に相当する断面図である。
【図４】  従来の圧接治具と電線及び圧接端子の側面断面図である。
【図５】  電線の圧接手順であり、（ａ）は圧接前の端子の正面断面図、（ｂ）は図４のＣ−Ｃ線に相当する断面図、（ｃ）は図４のＤ−Ｄ線に相当する断面図である。
【符号の説明】
１    圧接端子
１ａ  圧接刃
１ｂ  スロット
２    電線
２ａ  芯線
２ｂ  絶縁被覆
４    治具
４ａ  電線圧接部
４ｂ  電線押下げ部
ＷＡ 電線の外径
ＷＴ 圧接端子の内幅
【図１】
0003703637.tif 000002
【図２】
0003703637.tif 000003
【図３】
0003703637.tif 000004
【図４】
0003703637.tif 000005
【図５】
0003703637.tif 000006